(57)【特許請求の範囲】
【請求項１】
記録用紙カセツトを有するインクジエツト記録装置において、記録用紙カセツトを引き出した際に、廃インクカートリツジが露出するように、記録用紙カセツトに該廃インクカートリツジを着脱自在に設けたことを特徴とするインクジエツト記録装置。
【請求項２】
記録用紙カセツトを有するインクジエツト記録装置において、記録用紙カセツトに廃インクカートリツジを着脱自在に設け、待機中のインクジエツトヘツドのノズルを覆うキヤツピング手段を設け、該キヤツピング手段と前記廃インクカートリツジとの間に、廃インク流路を設け、前記廃インクカートリツジが、該廃インク流路の排出口に臨む受け口を、記録用紙カセツトの外部に露出して設けたことを特徴とするインクジエツト記録装置。
【発明の詳細な説明】
【０００１】
【発明の属する技術分野】
本発明は、用紙にインクを噴射して文字等を印刷するインクジエツト記録装置に係り、インクジエツトヘツドから出た廃インクを回収する構造に関するものである。
【０００２】
【従来の技術】
インクジエツト記録装置には、記録方式として、バブルインクジエツト方式、圧電振動によりインク滴を飛翔させるピエゾ方式、静電吸引型等がある。このインクジエツト記録装置は、鮮明な印刷を得るために、インクジエツトヘツドのノズルからインクを定期的に排出してノズル詰まりを防止するようにしたものがあり、排出した廃インクを溜めるための廃インクカートリツジを、本体筐体に設けてある。そして、インクジエツト記録装置を構成する本体筐体は、廃インクカートリツジの清掃或いは交換ができるように、廃インクカートリツジを出し入れするための専用の機構、スペース或いは取り出し口を設けてある。
【０００３】
【発明が解決しようとする課題】
しかし、本体筐体に廃インクカートリツジを出し入れするための専用の機構、スペース或いは取り出し口を設けることは、本体筐体の構造が複雑となると共に、本体筐体内部に廃インクカートリツジが隠れた状態となり、廃インクカートリツジの清掃或いは交換をオペレータが忘れて、漏れ出た廃インクで本体筐体内部を汚すことがある。
【０００４】
そこで、本発明は、上記問題を解決するために、本体筐体の構造が簡単にできると共に、廃インクカートリツジの点検を喚起できるインクジエツト記録装置の提供を目的とする。
【０００５】
【課題を解決するための手段】
請求項１記載の本発明の要旨は、記録用紙カセツトを有するインクジエツト記録装置において、記録用紙カセツトを引き出した際に、廃インクカートリツジが露出するように、記録用紙カセツトに該廃インクカートリツジを着脱自在に設けたことである。本発明のインクジエツト記録装置にあつては、記録用紙カセツトの有効利用を図ることにより、本体筐体に廃インクカートリツジを出し入れするための専用の機構、スペース或いは取り出し口を設ける必要がなくなり、本体筐体の構造を簡単にできると共に、用紙補給の際に記録用紙カセツトを引き出すとオペレータが廃インクカートリツジを点検することができるようになる。
【０００６】
請求項２記載の本発明の要旨は、廃インクの回収が自動的に行われると共に廃インクカートリツジの点検が容易にできるようにするために、記録用紙カセツトを有するインクジエツト記録装置において、記録用紙カセツトに廃インクカートリツジを着脱自在に設け、待機中のインクジエツトヘツドのノズルを覆うキヤツピング手段を設け、該キヤツピング手段と前記廃インクカートリツジとの間に、廃インク流路を設け、前記廃インクカートリツジが、該廃インク流路の排出口に臨む受け口を、記録用紙カセツトの外部に露出して設けたことである。
【０００７】
【発明の実施の形態】
以下、本発明に係るインクジエツト記録装置（以下、「本発明装置」という）を図面に示す実施の形態に基づいて説明する。
【０００８】
（第１の実施の形態）
図１及び図２は、本発明装置の第１の実施の形態を示すものであり、図１は装置全体を部分断面して示す側面図、図２は廃インクカートリツジを部分切欠きして示す斜視図である。
【０００９】
本発明装置１は、本体筐体２に対して出し入れ可能に設けた記録用紙カセツト３と、本体筐体２の外部に設けた用紙受具４とを備えている。本体筐体２の内部には、記録用紙カセツト３から供給された用紙（図示省略）を印刷位置Ｐへ搬送した後に用紙受具４へ搬出するための搬送ローラ５ａや案内板５ｂ等からなる用紙搬送装置５と、印刷位置Ｐで用紙にインクを噴射して印刷するインクジエツト装置６と、インクジエツト装置６のためのクリーニング装置７とを備えてある。
【００１０】
上記インクジエツト装置６は、印刷位置Ｐで左右方向へ移動しながらインクを用紙に噴射するインクジエツトヘツド８と、印刷するためのインクジエツトヘツド８を左右方向（用紙を横断する方向）へ案内移動させる移動装置９とを備えている。上記クリーニング装置７は、印刷位置Ｐの外側に位置する待機位置で待機しているインクジエツトヘツド８のノズル８ａを覆うキヤツピング手段１０と、キヤツピング手段１０から延設したパイプ等からなる廃インク流路１１と、廃インク流路１１の途中に設けた吸引用ポンプ１２とを備えている。
【００１１】
前記記録用紙カセツト３は、積層したカツト用紙（図示省略）を収納するものであり、偏平箱状のカセツト本体１４の内側で且つ用紙収納空間Ａの外側に、廃インクカートリツジ１５を着脱自在に設けてある。記録用紙カセツト３は、廃インクカートリツジ１５を装着するための凹部１６を設けてある。廃インクカートリツジ１５は、箱１７の内部に不織布等からなる廃インク吸収体１８を必要に応じて充填してあり、箱１７の上面に露出するように受け口１９を開設してある。受け口１９は、記録用紙カセツト３を所定の給紙位置Ｂへ押し込んだときに、前記廃インク流路１１の排出口１１ａの下方に臨むようになつており、排出口１１ａから排出されてくる廃インクを受けて吸収体１８で吸収するようにしてある。
【００１２】
廃インクカートリツジ１５は、箱１７を透明又は半透明な合成樹脂素材で成形し、内部に溜まっている廃インクの量を箱外部から目視できるように構成することもある。このとき、廃インクカートリツジ１５は、受け口１９の近傍にのみ廃インク吸収体１８を充填し、カートリツジ廃棄ときに、受け口１９から廃インクが外部へ容易に流出しないようにすることが好ましい。更に、記録用紙カセツト３は、廃インクカートリツジ１５の内部に溜まっている廃インクの量を目視できるように切欠き部２０を形成することが好ましい。なお、記録用紙カセツト３は、ロール状の連続用紙を収納するものであつてもよい。
【００１３】
本発明装置１は、廃インクカートリツジ１５を装着した記録用紙カセツト３を所定の給紙位置Ｂへ押し込んで廃インク回収可能な状態にし、この状態でクリーニング装置７を一定時間だけ起動すると、インクジエツトヘツド８のノズル８ａを覆うキヤツピング手段１０が吸引用ポンプ１２の吸引力で負圧状態となり、ノズル８ａからインクを強制的に吸い出してノズル詰まりを防止することができる。クリーニング装置７で吸い出した廃インクは、自動的に廃インク流路１１で導かれて、インクカートリツジ１５に回収される。
【００１４】
本発明装置１は、用紙補給の際に廃インクカートリツジ１５を引き出すと、廃インクカートリツジ１５が露出しているので、廃インクカートリツジ１５の点検を喚起すると共に、点検が容易にできる。廃インクが一杯に溜まっている廃インクカートリツジ１５は、新しい廃インクカートリツジ１５と交換する。
【００１５】
（第２の実施の形態）
図３は、本発明装置の第２の実施の形態を示すものであり、廃インクカートリツジを部分切欠きして示す斜視図である。本実施の形態が前記第１の実施の形態と異なる所は、記録用紙カセツト３のカセツト本体１４の外側に、廃インクカートリツジ１５を着脱自在に設けた点である。記録用紙カセツト３は、廃インクカートリツジ１５を装着するための凹部１６をカセツト本体１４と一体に設けてある。この相違点以外の構成は、前記第１の実施の形態と実質的に同一である。
【００１６】
（第３の実施の形態）
図４は、本発明装置の第３の実施の形態を示すものであり、廃インクカートリツジを部分切欠きして示す斜視図である。本実施の形態が前記第１の実施の形態と異なる所は、記録用紙カセツト３のカセツト本体１４の底側に、廃インクカートリツジ１５を着脱自在に設けた点である。記録用紙カセツト３は、廃インクカートリツジ１５を装着したときに、受け口１９がカセツト本体１４の後側又は左右外側の一方へ突出するようにしてある。廃インク流路１１は、記録用紙カセツト３からの給紙を妨げないように延設されている。この相違点以外の構成は、前記第１の実施の形態と実質的に同一である。
【００１７】
【発明の効果】
以上詳述の如く、本発明に係るインクジエツト記録装置は、次の如き優れた効果を有する。
【００１８】
請求項１記載の本発明は、記録用紙カセツトを有効利用することにより、本体筐体に廃インクカートリツジを出し入れするための専用の機構等を設ける必要がなく、記録装置全体の構造を簡単にできる。更に、本発明は、用紙補給の際に廃インクカートリツジの点検を喚起させて、必要とあればその場で廃インクカートリツトジの清掃或いは交換等を実施させることができるため、廃インクによる本体筐体内部の汚れを防止できる。
【００１９】
請求項２記載の本発明は、廃インクカートリツジに対する廃インクの回収が自動的に行われる。更に、本発明は、用紙補給の際に廃インクカートリツジを引き出すと、廃インクカートリツジの受け口が露出しているので、廃インクカートリツジの点検が容易にできる。
【図面の簡単な説明】
【図１】本発明に係るインクジエツト記録装置の第１の実施の形態を示すものであり、装置全体を部分断面して示す側面図である。
【図２】第１の実施の形態における廃インクカートリツジを部分切欠きして示す斜視図である。
【図３】第２の実施の形態における廃インクカートリツジを部分切欠きして示す斜視図である。
【図４】第３の実施の形態における廃インクカートリツジを部分切欠きして示す斜視図である。
【符号の説明】
１…インクジエツト記録装置
３…記録用紙カセツト
８…インクジエツトヘツド
８ａ…ノズル
１０…キヤツピング手段
１１…廃インク流路
１１ａ…排出口
１５…廃インクカートリツジ
１９…受け口
【図１】
0003709641.tif 000002
【図２】
0003709641.tif 000003
【図３】
0003709641.tif 000004
【図４】
0003709641.tif 000005